(57)【要約】【課題】高さ調節が可能であり、かつ、連結が容易で、さらに、強度や耐久性にも優れる屋根役物固定金具を提供する。【解決手段】棟木を受け支える受部１１と受部１１から下方に伸びる支柱部１２とを有する第１部材１０と、下地材に固定する脚部２１と脚部２１から上方に伸びる支柱部２２とを有する第２部材２０とを備え、支柱部１２・２２は、それぞれ、向かい合う対向壁１３・２３とこれをつなぐ連結壁１４・２４とを備える断面略コの字形であり、第１部材の対向壁１３を第２部材の対向壁２３の間にはめ込む構造となし、第１部材１０にその対向壁１３のコの字開放側の縁から伸びる突片１５を設け、第２部材２０の連結壁２４に、突片１５を挿入する開口部２５を上下方向に間隔をあけて複数設けた屋根役物固定金具を採用する。【選択図】図２
2005226306.tif 000002
【特許請求の範囲】
【請求項１】
棟木を受け支える受部と前記受部から下方に伸びる支柱部とを有する第１部材と、下地材に固定する脚部と前記脚部から上方に伸びる支柱部とを有する第２部材とを備え、前記第１・第２部材の支柱部は、それぞれ、向かい合う対向壁とこれをつなぐ連結壁とからなる断面略コの字形であり、前記第１・第２部材のいずれか一方の部材の対向壁を他方の部材の対向壁の間にはめ込む構造となし、前記一方の部材に、対向壁のコの字開放側の縁から伸びる突片を設け、前記他方の部材の連結壁に、前記突片を挿入する開口部を上下方向に間隔をあけて複数設けた屋根役物固定金具。
【請求項２】
前記突片の、前記連結壁の開口部からの突出部分に、突片の厚み方向に貫通する孔を設けた請求項１に記載の屋根役物固定金具。
【請求項３】
前記突片を少なくとも両側で１対となるように設けた請求項１または２に記載の屋根役物固定金具。
【請求項４】
前記一方の部材に、連結壁の端から外側に突出して対向壁側に折れ曲がる案内片を設け、前記他方の部材に、対向壁のコの字開放側の端から外側に張り出す補助壁を設け、前記補助壁に、前記案内片を係止させる切り欠きまたは開口部を上下方向に間隔をあけて複数設けた請求項１から３のいずれかに記載の屋根役物固定金具。
【請求項５】
前記一方の部材の連結壁の下端または前記他方の部材の連結壁の下端に、下地材との干渉を回避する逃げ部を形成した請求項１から４のいずれかに記載の屋根役物固定金具。
【発明の詳細な説明】
【技術分野】
【０００１】
本発明は、屋根の下地材に棟瓦を固定するために用いる屋根役物固定金具に関する。
【背景技術】
【０００２】
屋根の下地材に棟瓦を固定するに際し、ふき土だけで棟瓦を固定するのではふき土が乾くまでの時間が長く、また棟瓦の高さを均一にすることが困難であることから、通常、棟木と屋根役物固定金具を介在させて施工する。
【０００３】
この屋根役物固定金具の中には高さ調節ができるものがあり、これを使用すると屋根の棟が上下に波打っていても棟木を直線状に固定することができる。
【０００４】
高さ調節ができる屋根役物固定金具は、一般的に、棟木を固定する第１部材と下地材に固定する第２部材とからなる。第１部材は上側が開放したコの字形の受部を有しており、第２部材は下側が開放したハの字形の脚部を有しており、棟木の高さ調節ができるように第１部材と第２部材とが連結されている。
【０００５】
このような高さ調節ができる屋根役物固定金具として、第１部材と第２部材とを単にピンで連結する金具（特許文献１）や、第１部材の嵌合凸部を第２部材の嵌合孔に単に嵌合する金具（特許文献２）が提案されている。
【０００６】
しかし、従来の屋根役物固定金具には以下の問題点がある。すなわち、第１部材と第２部材とを単にピンで連結するものは、連結が容易ではあるが、棟瓦による荷重がピンに集中するため、強度や耐久性が劣る。また、第１部材の嵌合凸部を第２部材の嵌合孔に単に嵌合するものは、連結が容易ではあるが、嵌合方向と反対の方向の荷重により連結が解けるおそれがある。よって、地震や台風などに対する強度や耐久性が劣るという問題点があった。
【０００７】
一方、第１部材と第２部材とをボルトで連結するものは、強度や耐久性は優れるものの、連結が面倒である。
【０００８】
【特許文献１】特開平１１−１７２８５７号公報
【特許文献２】特開２０００−１４５０３８号公報
【発明の開示】
【発明が解決しようとする課題】
【０００９】
本発明が解決しようとする課題は、高さ調節が可能であり、かつ、連結が容易で、さらに、強度や耐久性にも優れる屋根役物固定金具を提供することである。
【課題を解決するための手段】
【００１０】
上記の課題を解決するために、棟木を受け支える受部と前記受部から下方に伸びる支柱部とを有する第１部材と、下地材に固定する脚部と前記脚部から上方に伸びる支柱部とを有する第２部材とを備え、前記第１・第２部材の支柱部は、それぞれ、向かい合う対向壁とこれをつなぐ連結壁とを備える断面略コの字形であり、前記第１・第２部材のいずれか一方の部材の対向壁を他方の部材の対向壁の間にはめ込む構造となし、前記一方の部材に、対向壁のコの字開放側の縁から伸びる突片を設け、前記他方の部材の連結壁に、前記突片を挿入する開口部を上下方向に間隔をあけて複数設けた屋根役物固定金具を提供する。
【００１１】
かかる屋根役物固定金具は以下の構成を加えるとより好ましいものになる。
１）前記突片の、前記連結壁の開口部からの突出部分に、突片の厚み方向に貫通する孔を設ける。
２）前記突片を少なくとも両側で１対となるように設ける。
３）前記一方の部材に、連結壁の端から外側に突出して対向壁側に折れ曲がる案内片を設け、前記他方の部材に、対向壁のコの字開放側の端から外側に張り出す補助壁を設け、前記補助壁に、前記案内片を係止させる切り欠きまたは開口部を上下方向に間隔をあけて複数設ける。
４）前記一方の部材の連結壁の下端または前記他方の部材の連結壁の下端に、下地材との干渉を回避する逃げ部を形成する。
【発明の効果】
【００１２】
本発明の屋根役物固定金具は、突片を挿入する開口部を上下方向に間隔をあけて複数有するので、突片を挿入する開口部をかえて、棟木の高さを段階的に調節することができる。
【００１３】
また、この屋根役物固定金具は、第１・第２部材のいずれか一方の部材の対向壁を他方の部材の対向壁の間にはめ込み、前記一方の部材の突片を前記他方の部材の連結壁の開口部に挿入する構造なので、棟瓦による荷重を対向壁や連結壁や突片などに分散させて受け支えることができ、強度や耐久性に優れる。
【００１４】
さらに、前記突片の、前記連結壁の開口部からの突出部分に、突片の厚み方向に貫通する孔を設けたものは、開口部からの突片の突出部分を容易に曲げることができ、またその貫通孔に釘などを差し込むことができるので、連結の信頼性が高い。
【００１５】
さらに、前記突片を少なくとも両側で１対となるように設けたものは、棟瓦による荷重を両側に分散させて受け支えるので、第１部材の姿勢がより安定する。
【００１６】
さらに、前記一方の部材に、その連結壁の端から外側に突出して対向壁側に折れ曲がる案内片を設け、その案内片を前記他方の部材に設けた切り欠きまたは開口部に係止させるようにしたものは、前記案内片と前記突片とがお互いに離れた位置で棟瓦による荷重を受け止めるので、より強度や耐久性に優れる。
【００１７】
さらに、前記一方の部材の連結壁の下端または前記他方の部材の連結壁の下端に、下地材との干渉を回避する逃げ部を形成したものは、確実に下地材に固定できる。
【発明を実施するための最良の形態】
【００１８】
高さ調節が可能であり、かつ、連結が容易で、さらに、強度や耐久性に優れた屋根役物固定金具を提供するという目的を、最少の部材で実現した。
【実施例】
【００１９】
図１に第１実施形態の屋根役物固定金具の斜視図を、図２に分解斜視図を示す。この屋根役物固定金具は第１部材１０と第２部材２０とからなる。
【００２０】
第１部材１０は、棟木を受け支える受部１１と、受部１１から下方に伸びる支柱部１２とを備える。
【００２１】
受部１１は、図２では上側が開放したコの字形状であるが、棟木を受け支え得る他の形状でもよい。受部１１の向かい合う壁部分１１ａは、棟木固定用の釘やネジ等を通す貫通孔１１ｂをそれぞれに備える。
【００２２】
支柱部１２は、向かい合う対向壁１３とこれをつなぐ連結壁１４とを備える断面略コの字形である。支柱部１２は、図２では金属板をコの字形状に折り曲げて形成しているが、たとえば図３のようにコの字の開放端を内側にさらに折り曲げて形成してもよい。このようにすれば支柱部１２がより変形しにくくなり、強度や耐久性が向上する。
【００２３】
第１部材１０は、対向壁１３のコの字開放側の縁から伸びる突片１５を少なくとも両側で１対（図は２対）となるように有する。
【００２４】
第２部材２０は、下地材に固定する脚部２１と、脚部２１から上方に伸びる支柱部２２とを備える。
【００２５】
脚部２１は、図２では下側が開放したハの字形状であるが、下地材に固定できる他の形状でもよい。脚部２１の翼部２１ａは、下地材固定用の釘やネジ等を通す貫通孔２１ｂをそれぞれに備える。
【００２６】
支柱部２２は、向かい合う対向壁２３とこれをつなぐ連結壁２４とを備える断面略コの字形である。
【００２７】
対向壁２３は、支柱部１２と支柱部２２とのコの字の開放側同士を向かい合わせるように組み合わせて、対向壁１３をはめ込む構造である。
【００２８】
連結壁２４は、第１部材の突片１５を挿入する開口部２５を有する。
【００２９】
連結壁２４は開口部２５を上下方向に間隔をあけて複数（図は４対）有し、その配置間隔はそれぞれ突片１５の上下方向の配置間隔と同じである。これにより、突片１５の係止位置をかえて棟木の高さを突片１５の上下方向の配置間隔ごとに段階的に調節することができる。
【００３０】
突片１５は、図２では水平に伸びているが、たとえば図４に示すように斜め下に伸びていてもよい。このようにすれば、受部１１に作用する棟瓦の重量により突片１５が第２部材の開口部２５から抜けにくくなり、第１部材と第２部材との連結の信頼性が増す。
【００３１】
突片１５は、図２では開口部２５にそのまま挿入する構造であるが、たとえば図５のように弾性変形させて挿入する構造でもよい。このようにすれば、突片１５が開口部２５を通り抜けた後に弾性復元して開口部２５から抜けにくくなり、第１部材と第２部材との連結がより強固となる。
【００３２】
突片１５は、開口部２５からの突出部分に、突片１５の厚み方向に貫通する孔１５ａを有する。これにより、突片１５を貫通孔１５ａ付近で曲げることが容易となり、また、貫通孔１５ａに釘３０やピンなどを差し込むことが可能となる。突片１５は、図２では貫通孔１５ａのみを有するが、たとえば図５に示すようにスリット１５ｂなどをさらに備えていてもよい。
【００３３】
第１部材１０は、連結壁１４の端から外側に突出して対向壁１３側に折れ曲がる案内片１６を有する。案内片１６は、図２のように切り起こして形成してもよいが、別部材を結合するなどして形成してもよい。
【００３４】
案内片１６は、少なくとも両側で１対となるように設けると好ましい。このようにすれば、棟瓦による荷重を両側に分散させて受け支えるので、第１部材１０の姿勢がより安定する。また、案内片１６が対向壁２３をはめ込む構造が好ましい。このようにすれば、案内片１６により対向壁２３が外側からも拘束され、第１部材１０と第２部材２０との連結がより強固となるからである。
【００３５】
第２部材２０は、対向壁２３のコの字開放側の端から外側に張り出す補助壁２６を有している。補助壁２６は、図２のように対向壁２３と一体に形成してもよいが、別部材を結合するなどして形成してもよい。
【００３６】
補助壁２６は、案内片１６を係止させる切り欠き２６ａを上下方向に間隔をあけて複数（図は３対）有する。切り欠き２６ａは、図６に示すような開口部２６ｂに置き換えてもよい。このようにすれば、補助壁２６により案内片１６が外側からも拘束され、第１部材１０と第２部材２０との連結がより強固となる。
【００３７】
連結壁１４および連結壁２４は、それぞれ、その下端に下地材との干渉を回避する逃げ部１４ａおよび２４ａを有する。逃げ部１４ａは、図２では連結壁１４の中央に向かって次第に深くなる形状であるが、一番下の開口部２５に突片１５を貫通させたときに連結壁１４および連結壁２４が下地材と干渉しないような他の形状でもよい。
【００３８】
このような第１実施形態の屋根役物固定金具を用いれば、以下の効果を得る。
１）屋根の棟が上下に波打っていても、突片１５の挿入位置をかえて棟木の高さを段階的に調節し、棟木を直線状に固定することができる。
２）棟瓦による荷重を対向壁１３と連結壁１４と突片１５と案内片２６に分散させて受け支えるので強度や耐久性に優れる。
３）突片１５を貫通孔１５ａ付近で折り曲げ、あるいは貫通孔１５ａに釘３０などを差し込めば、突片１５の貫通方向と反対方向の荷重が第１部材１０に作用しても第１部材１０と第２部材２０との連結が解けず、連結の信頼性が増す。
４）突片１５が棟瓦による荷重を両側に分散して受け支えるので、第１部材１０の姿勢がより安定する。
５）突片１５と案内片１６とがお互いに離れているので、第１部材１０にモーメント荷重が作用しても突片１５または案内片１６に荷重が集中しにくく壊れにくい。
６）連結壁１４および２４が下地材と干渉しないので、確実に屋根役物固定金具を下地材に固定できる。
【００３９】
第１部材１０と第２部材２０との連結は、突片１５および案内片１６をそれぞれ開口部２５および開口部２６ａに係止させるだけでよく、必要に応じてさらに突片１５を貫通孔１５ａ付近で折り曲げ、あるいは貫通孔１５ａに釘３０などを差し込むだけでよい。よって、第１部材１０と第２部材２０との連結は容易であり、効率のよい施工が可能である。
【００４０】
第１部材１０が第２部材２０の支柱部２２と同様の構造の支柱部を有し、第２部材２０が第１部材１０の支柱部１２と同様の構造の支柱部を有する構造にしても、同様の効果を得ることができる。
【図面の簡単な説明】
【００４１】
【図１】第１実施形態の屋根役物固定金具の斜視図
【図２】第１実施形態の屋根役物固定金具の分解斜視図
【図３】支柱部の変形例を説明する図
【図４】突片の変形例を説明する図
【図５】突片の他の変形例を説明する図
【図６】補助壁の変形例を示す図
【符号の説明】
【００４２】
１０    第１部材
１１    受部
１２    支柱部
１３    対向壁
１４    連結壁
１４ａ  逃げ部
１５    突片
１５ａ  貫通孔
１６    案内片
２０    第２部材
２１    脚部
２２    支柱部
２３    対向壁
２４    連結壁
２４ａ  逃げ部
２５    開口部
２６    補助壁
２６ａ  切り欠き
２６ｂ  開口部
３０    釘
【図１】
2005226306.tif 000003
【図２】
2005226306.tif 000004
【図３】
2005226306.tif 000005
【図４】
2005226306.tif 000006
【図５】
2005226306.tif 000007
【図６】
2005226306.tif 000008